(57)【要約】【課題】バストの造形性と着け心地とを両立できるカップ部付き衣類を提供する。【解決手段】カップ部付き衣類１は、左右一対のカップ部２と、カップ部２の下辺部２ｃ側を支持する土台部３と、土台部３の脇側から延びるバック部４と、カップ部２とバック部４とを連結するストラップ部５と、一対のカップ部２の表面側に、カップ部２の脇側部分２ｄを覆うようにそれぞれ設けられた一対の脇サポート部６と、一対の脇サポート部６同士を連結し、一対の脇サポート部６を前中心Ａ側に引き寄せる連結部８と、を備える。脇サポート部６は、土台部３における下辺部３ｂ側及びバック部４側、並びにカップ部２とストラップ部５との連結部分Ｐに結合される一方、カップ部２の脇側部分２ｄに対して遊離しており、かつ、脇側部分２ｄの縁から脇側に張り出した張出部分１５を有している。【選択図】図１
2018178306.tif 000002
【特許請求の範囲】
【請求項１】
左右一対のカップ部と、
前記カップ部の下辺部側を支持する土台部と、
前記土台部の脇側から延びるバック部と、
前記カップ部と前記バック部とを連結するストラップ部と、
前記一対のカップ部の表面側に、前記カップ部の脇側部分を覆うようにそれぞれ設けられた一対の脇サポート部と、
前記一対の脇サポート部同士を連結する連結部と、を備え、
前記脇サポート部は、前記土台部における下辺部側及び前記バック部側、並びに前記カップ部と前記ストラップ部との連結部分に結合される一方、前記カップ部の前記脇側部分に対して遊離しており、かつ、前記脇側部分の縁から脇側に張り出した張出部分を有している、カップ部付き衣類。
【請求項２】
前記張出部分は、前記土台部において前記カップ部の前記脇側部分の縁と連なる上辺から上側に張り出している、請求項１に記載のカップ部付き衣類。
【請求項３】
前記脇サポート部は、前記ストラップ部に結合されている、請求項１又は２に記載のカップ部付き衣類。
【請求項４】
前記土台部の前中心には、筒状の挿通部が設けられており、
前記連結部は、前記挿通部に挿通されている、請求項１〜３のいずれか一項に記載のカップ部付き衣類。
【請求項５】
前記脇サポート部の脇側の辺部には、テープ部による始末部が設けられており、
前記張出部分における前記脇側部分の縁からの張出量は、前記テープ部の幅よりも大きくなっている、請求項１〜４のいずれか一項に記載のカップ部付き衣類。
【発明の詳細な説明】
【技術分野】
【０００１】
本発明は、カップ部付き衣類に関する。
【背景技術】
【０００２】
ブラジャーに代表されるカップ部付き衣類は、例えば、バストを覆うためのカップ部、カップ部の下辺部側を支持する土台部、土台部の脇側から延びるバック部、及びカップ部とバック部とを連結するストラップ部などを備えて構成されている（例えば、特許文献１参照）。このようなカップ部付き衣類の主たる機能の一つとしては、バストの造形性、すなわち、バストを好ましい形状に整えて保持する機能が挙げられる。
【先行技術文献】
【特許文献】
【０００３】
【特許文献１】特開２０１５−４８５５９号公報
【発明の概要】
【発明が解決しようとする課題】
【０００４】
バストの造形性を高めるために、カップ部の脇辺部の位置をより高くすることにより、脇側にはみ出そうとするバストをカップ部内に集めて収め易くすると共に、集めたバストが流れ出て着崩れが生じるのを抑え易くすることが考えられる。しかしながら、カップ部の脇辺部の位置が高いと、着用者の身長や体型によっては、着用時に圧迫感を与えることや、カップ部の下辺部の脇側先端が着用者の脇に当たることなどにより、着け心地が低下するおそれがある。
【０００５】
そこで、本発明は、バストの造形性と着け心地とを両立できるカップ部付き衣類を提供することを目的とする。
【課題を解決するための手段】
【０００６】
本発明の一側面に係るカップ部付き衣類は、左右一対のカップ部と、カップ部の下辺部側を支持する土台部と、土台部の脇側から延びるバック部と、カップ部とバック部とを連結するストラップ部と、一対のカップ部の表面側に、カップ部の脇側部分を覆うようにそれぞれ設けられた一対の脇サポート部と、一対の脇サポート部同士を連結する連結部と、を備え、脇サポート部は、土台部における下辺部側及びバック部側、並びにカップ部とストラップ部との連結部分に結合される一方、カップ部の脇側部分に対して遊離しており、かつ、脇側部分の縁から脇側に張り出した張出部分を有している。
【０００７】
このカップ部付き衣類では、着用状態において、バック部及びストラップ部からの引っ張り力によって脇サポート部がバストを面でしっかりと押える。また、このカップ部付き衣類では、一対の脇サポート部同士が連結部によって連結されており、バストを面で押さえながら両脇側からしっかりと保持でき、両脇側で保持されたバストのボリュームを前中心側に集めて造形性を高めることができる。また、バストをしっかりと保持できるため、動きによる着崩れを抑制することができる。更に、このカップ部付き衣類では、脇サポート部がカップ部の脇側部分の縁から脇側に張り出した張出部分を有している。この張出部分により、バストがカップ部内に収まり、バストをボリュームアップできる。また、バストの脇側へのはみ出し等に起因する着崩れを確実に抑制できる。また、カップ部の脇側部分の縁を張出部分によって覆うことにより、バストの肌当たりを軽減でき、着心地を向上できる。
【０００８】
また、張出部分は、土台部においてカップ部の脇側部分の縁と連なる上辺から上側に張り出していてもよい。この場合、脇サポート部によるバストの保持及びバスト脇側の肌当たりがより効果的なものとなる。
【０００９】
また、脇サポート部は、ストラップ部に結合されていてもよい。この場合、ストラップ部からの引っ張り力を脇サポート部により確実に作用させることができる。これにより、脇サポート部によってバストの脇側を一層しっかりと保持でき、バストの造形性を向上できる。
【００１０】
また、土台部の前中心には、筒状の挿通部が設けられており、連結部は、挿通部に挿通されていてもよい。この場合、挿通部によって連結部の位置を規制でき、動きに対する安定性を高めることができる。
【００１１】
また、脇サポート部の脇側の辺部には、テープ部による始末部が設けられており、張出部分における脇側部分の縁からの張出量は、テープ部の幅よりも大きくなっていてもよい。この場合、カップ部の脇側部分の縁からの張出部分の張出量が十分なものとなり、脇サポート部によるバストの保持及びカップ部とテープ部が重なることによる厚みの増加を抑え、バスト脇側の肌当たりを一層十分に確保できる。
【発明の効果】
【００１２】
本発明によれば、バストの造形性と着け心地とを両立できるカップ部付き衣類を提供できる。
【図面の簡単な説明】
【００１３】
【図１】一実施形態に係るカップ部付き衣類の正面図である。
【図２】図１のカップ部付き衣類の背面図である。
【図３】図１のカップ部付き衣類によるバストの造形作用を示す図である。
【発明を実施するための形態】
【００１４】
以下、本発明の一実施形態について、図面を参照しつつ詳細に説明する。なお、以下の説明において、同一又は相当要素には同一符号を用い、重複する説明を省略する。
【００１５】
図１及び図２に示されるカップ部付き衣類１は、例えば女性用のブラジャーとして構成されている。このカップ部付き衣類１は、バストを覆うための左右一対のカップ部２と、カップ部２の下辺部２ｃ側を支持する土台部３と、土台部３の両脇からそれぞれ延びて背面側に至る一対のバック部４と、カップ部２とバック部４とをそれぞれ連結する一対のストラップ部５と、一対のカップ部２の表面側にそれぞれ設けられた一対の脇サポート部６と、一対の脇サポート部６の表面側にそれぞれ設けられた一対の押さえ部７と、一対の脇サポート部６同士を連結する連結部８と、を備えて構成されている。
【００１６】
カップ部２は、人体のバストの形状に対応した椀形状をなしている。左右のカップ部２は、土台部３を介して前中心Ａ側で互いに結合されている。カップ部２の背面側（肌側）には、例えばスムース（両面編み）やトリコット等の肌触りや吸湿性に優れる編物等の素材が使用されている。さらにパッド受け布を設けることにより、脇側に開口したポケット部（パッド受け）が形成されており、このポケット部に、弾力性を有するパッドが着脱自在に装着可能となっている。カップ部２の上辺部２ａは、例えばバストの上部付近の形状に沿うように略中央部分で上向きに凸となるように湾曲している。また、カップ部２の脇辺部２ｂは、腕の動きを阻害することが無いように中心側に向かって緩やかな凹状に湾曲しており、カップ部２の下辺部２ｃは、バストのバージスラインに合うように下向きに凸となるように湾曲している。
【００１７】
カップ部２の脇辺部２ｂには、テープ部１１による始末部が設けられている。テープ部１１は、バスト脇部の肌当たりを良くするために設けられ、例えばストレッチテープなどによって形成されている。また、カップ部２の下辺部２ｃには、ワイヤー部１２が設けられている。ワイヤー部１２は、例えば芯材となるワイヤー部材と、ワイヤー部材を封入するワイヤーループとによって構成されている。ワイヤー部材には、金属や樹脂等が用いられ、ワイヤーループには、織物や編物などの柔らかい素材が用いられる。
【００１８】
土台部３は、例えばマーキゼット等の非（難）伸縮性の素材が用いられ、表地に伸縮性もしくは非（難）伸縮性のレース生地等を縫着し、全体として非（難）伸縮性を有している。ここで、非伸縮性とは、伸縮性を有さないことを意味し、難伸縮性とは、伸縮性が比較的低いことを意味する。土台部３の上辺部３ａは、カップ部２の下辺部２ｃに沿うように凹状に湾曲しており、カップ部２の下辺部２ｃに縫着されている。土台部３の下辺部３ｂには、伸縮性及び復元性を高める目的で、長手方向に特に伸縮性の高い素材からなる始末部が設けられている。始末部に用いる素材としては、例えばストレッチテープなどが挙げられる。土台部３の脇部３ｃには、バック部４が結合される結合部１３が設けられている。結合部１３は、上下方向に帯状に延びている。
【００１９】
バック部４は、例えばパワーネットなどの伸縮性を有する素材によって形成されている。バック部４は、基端側において土台部３の結合部１３に結合され、背面側に向かって帯状に延びている。バック部４における背面側の端部には、ホック１４が設けられている。このホック１４により、左右のバック部４が互いに係脱自在となっている。
【００２０】
ストラップ部５は、例えばテープ状に形成した織物や編物、若しくは帯状の織物や編物を縫製して形成されている。ストラップ部５に用いられる織物等の素材は、長手方向に伸縮性を有していることが好適である。ストラップ部５は、カップ部２とバック部４との間に掛け渡され、いわゆる肩紐を構成している。ストラップ部５の一方の端部５ａは、カップ部２における上辺部２ａと脇辺部２ｂとが交差する頂部に連結され、ストラップ部５の他方の端部５ｂは、バック部４の上辺部４ａに連結されている。
【００２１】
脇サポート部６は、略矩形状の幅広な非（難）伸縮性の布材であり、例えばチュールによって形成されている。脇サポート部６は、カップ部２よりも薄い素材によって構成されている。脇サポート部６は、カップ部２の表面側に、カップ部２の脇側部分２ｄ及び土台部３の脇側を覆うように設けられている。カップ部２の脇側部分２ｄとは、例えばカップ部２におけるバストトップ位置Ｔよりも脇側の部分である。
【００２２】
脇サポート部６の前辺部（前中心Ａ側の辺部）６ａは、ストラップ部５の端部５ａからバストトップ位置Ｔよりも脇側を通って土台部３の下辺部３ｂに至り、下辺部３ｂに近づくほど前中心Ａ側に近づくように傾斜して直線状に延在している。前辺部６ａは、カップ部２の下辺部２ｃに対し、下辺部２ｃの最下点よりも前中心Ａ側の位置で交差している。脇サポート部６の下辺部６ｂは、土台部３の下辺部３ｂに沿って延在している。脇サポート部６の脇部下辺（バック部４側の辺部）６ｃは、土台部３におけるバック部４との結合部１３に沿って延在している。
【００２３】
脇サポート部６は、土台部３における下辺部３ｂ側及びバック部４側、並びにカップ部２とストラップ部５との連結部分Ｐに結合される一方、カップ部２の脇側部分２ｄに対して遊離している。より詳細には、脇サポート部６は、土台部３に対して下辺部３ｂ及び結合部１３に沿って縫着されると共に、カップ部２の頂部よりも上側の位置においてストラップ部５の端部５ａに縫着されている。脇サポート部６は、これらの縫着箇所を除いてカップ部２及び土台部３に対して非縫着となっており、脇サポート部６における縫着箇所以外の部分、すなわち前辺部６ａ及び脇部上辺（脇側の辺部）６ｄを含む中央部分が、脇側部分２ｄから浮いた状態となっている。
【００２４】
また、脇サポート部６は、カップ部２の脇辺部２ｂ（脇側部分２ｄの縁）から脇側に張り出した張出部分１５を有している。張出部分１５は、土台部３における脇辺部２ｂと連なる上辺３ｄ（脇部３ｃの上縁）から上側に張り出しており、張出部分１５の脇側の縁により脇サポート部６の脇部上辺６ｄが構成されている。脇部上辺６ｄは、脇辺部２ｂ及び上辺３ｄの脇側に延在してストラップ部５の端部５ａから結合部１３の上端に至り、バック部４の上辺部４ａに連なっている。脇部上辺６ｄは、脇辺部２ｂ及び上辺３ｄに沿うように中心側に向かって緩やかな凹状に湾曲している。
【００２５】
脇サポート部６の脇部上辺６ｄには、テープ部１６による始末部が設けられている。テープ部１６は、バスト脇部の肌当たりを良くするために設けられ、例えばストレッチテープなどによって形成されている。テープ部１６の幅（張出部分１５の張出方向に沿っての長さ）は、例えば８〜１６ｍｍ程度となっている。張出部分１５におけるカップ部２の脇辺部２ｂからの張出量は、テープ部１６の幅よりも大きくなっている。これにより、テープ部１６は、カップ部２の脇辺部２ｂに設けられたテープ部１１から離間した状態となっている。
【００２６】
押さえ部７は、脇サポート部６よりも幅狭な略矩形状の布材であり、例えば編みレースなどにより形成されて非（難）伸縮性を有している。押さえ部７は、脇サポート部６の表面側に脇サポート部６のバック部４側を覆うように設けられている。
【００２７】
押さえ部７の前辺部（前中心Ａ側の辺部）７ａは、例えば、脇サポート部６の前辺部６ａと平行に直線状に延在し、脇サポート部６の脇部上辺６ｄからバストトップ位置Ｔよりも脇側を通って土台部３の下辺部３ｂに至っている。前辺部７ａは、カップ部２の下辺部２ｃに対し、下辺部２ｃの最下点よりも脇側の位置で交差している。押さえ部７の下辺部７ｂは、土台部３の下辺部３ｂに沿って延在している。押さえ部７の脇部下辺（バック部４側の辺部）７ｃは、土台部３におけるバック部４との結合部１３に沿って延在している。押さえ部７の脇部上辺（脇側の辺部）７ｄは、脇サポート部６の脇部上辺６ｄに沿って延在している。なお、前辺部７ａは、必ずしも前辺部６ａと平行に直線状に延在していなくてもよく、前辺部６ａに対して傾斜して直線状に延在してもよいし、或いは、曲線状に延在してもよい。
【００２８】
押さえ部７は、脇サポート部６及び土台部３に結合される一方、カップ部２の脇側部分２ｄに対して遊離している。より詳細には、押さえ部７は、土台部３に対して下辺部７ｂ及び脇部下辺７ｃに沿って脇サポート部６と共に縫着されると共に、脇サポート部６に対して前辺部７ａ及び脇部上辺７ｄに沿って縫着されている。押さえ部７は、これらの縫着箇所を除いて土台部３及び脇サポート部６に対して非縫着となっており、前辺部７ａ及び脇部上辺７ｄを含む中央部分がカップ部２の脇側部分２ｄから浮くと共に、各辺部を除く中央部分が脇サポート部６から浮いた状態となっている。なお、脇サポート部６は、前辺部６ａ側において裏側（カップ部２側）に折り返されており、前辺部６ａから押さえ部７の前辺部７ａにわたる部分が二重になっている。裏側に折り返された生地と表側の生地とは、押さえ部７の前辺部７ａの位置で互いに縫着されている。
【００２９】
また、押さえ部７は、カップ部２の脇辺部２ｂから脇側に張り出した張出部分１７を有している。張出部分１７は、土台部３の上辺３ｄから上側に張り出しており、張出部分１７の脇側の縁により押さえ部７の脇部上辺７ｄが構成されている。脇部上辺７ｄは、脇辺部２ｂ及び上辺３ｄの脇側に延在して結合部１３の上端に至り、バック部４の上辺部４ａに連なっている。脇部上辺７ｄは、脇辺部２ｂ及び上辺３ｄに沿うように中心側に向かって緩やかな凹状に湾曲している。
【００３０】
連結部８は、帯状の非（難）伸縮性を有する布材であり、例えばチュールなどによって形成されている。本実施形態では、連結部８は、脇サポート部６と同一の素材によって形成されている。連結部８は、左右方向に延在して各脇サポート部６の前中心Ａ側に縫着されており、一対の脇サポート部６の距離が大きく離れないようにしている（前中心Ａ側に引き寄せている）。連結部８は、脇サポート部６に対して前辺部６ａの下側に沿って縫着されている。また、連結部８は、土台部３の前中心Ａに設けられた筒状の挿通部９に挿通されており、挿通部９内を左右方向に移動自在となっている。挿通部９は、筒状に形成された布材からなり、前中心Ａの位置で土台部３に縫着されている。連結部８は、挿通部９から脇サポート部６に近づくほど幅（上下方向の長さ）が広がるように、前中心Ａに対して左右両側のそれぞれにおいて略台形状をなしている。
【００３１】
続いて、上述したカップ部付き衣類１の作用効果について説明する。
【００３２】
図３は、カップ部付き衣類１によるバストの造形作用を示す図である。図３では、着用状態においてカップ部付き衣類１からバストに作用する力が矢印によって示されている。着用状態においては、バック部４及びストラップ部５からの引っ張り力が脇サポート部６に作用する。これにより、図３に示されるように脇サポート部６からカップ部２に下側及び脇側からの力が作用し、脇サポート部６によってバストが支えられる。また、カップ部付き衣類１では、一対の脇サポート部６同士が連結部８によって連結されており、脇サポート部６の左右方向の距離が大きく広がらない。これにより、バストを面で押さえながら両脇側からしっかりと保持でき、両脇側で保持されたバストのボリュームを前中心Ａ側に集めて造形性を高めることができる。更に、カップ部付き衣類１では、脇サポート部６がカップ部２の脇側部分２ｄの縁から脇側に張り出した張出部分１５を有している。この張出部分１５により、バストの脇側へのはみ出し等に起因する着崩れを確実に抑制できる。また、カップ部２の脇側部分２ｄの縁が張出部分によって覆われるので、バストの肌当たりを軽減でき、着心地を向上できる。
【００３３】
また、カップ部付き衣類１では、張出部分１５が土台部３の上辺３ｄから上側に張り出しているため、脇サポート部６によるバストの保持及びバスト脇側の肌当たりがより効果的なものとなる。また、カップ部付き衣類１では、脇サポート部６がストラップ部５に結合されているため、ストラップ部５からの引っ張り力を脇サポート部６に確実に作用させることができる。これにより、脇サポート部６によってバストの脇側を一層しっかりと保持でき、バストの造形性を向上できる。
【００３４】
また、カップ部付き衣類１では、土台部３の前中心Ａに設けられた筒状の挿通部９に連結部８が挿通されているため、挿通部９によって連結部８の位置を規制でき、バストを安定して保持できる。
【００３５】
また、カップ部付き衣類１では、張出部分１５における脇側部分２ｄの縁からの張出量が、脇サポート部６の脇部上辺６ｄに始末部として設けられたテープ部１６の幅よりも大きくなっている。これにより、カップ部２の脇側部分２ｄの縁からの張出部分１５の張出量が十分なものとなり、脇サポート部６によるバストの保持及びバスト脇側の肌当たりを一層十分に確保できる。
【００３６】
また、カップ部付き衣類１は、脇サポート部６の表面側に脇サポート部６のバック部４側を覆うように設けられた押さえ部７を更に備えている。これにより、押さえ部７によってカップ部をバック部４側から支えることができ、バストを一層確実に保持できる。
【００３７】
以上、本発明の一実施形態について説明したが、本発明は、上記実施形態に限られない。例えば、上記実施形態では、カップ部付き衣類としてブラジャーを例示したが、本発明を適用するカップ部付き衣類としては、ブラジャーの他に、ブラスリップ、ブラキャミソール、ボディスーツなどのファンデーション衣類、水着、レオタードなどが挙げられる。また、上記実施形態では、カップ部２の下辺部２ｃにワイヤー部１２が設けられたワイヤー型のカップ部付き衣類を例示したが、ワイヤー部１２を設けないノンワイヤー型のカップ部付き衣類に適用されてもよい。
【００３８】
また、上記実施形態では、脇サポート部６がストラップ部５に縫着されていたが、脇サポート部６は、カップ部２とストラップ部５との連結部分Ｐに結合されていればよく、例えば、カップ部２の頂部に結合されてもよい。或いは、脇サポート部６は、カップ部２の上辺部２ａにおける脇側に結合されてもよいし、カップ部２の脇辺部２ｂにおける上側に結合されてもよい。換言すれば、脇サポート部６は、着用時にストラップ部５からの引っ張り力が作用するように、カップ部２とストラップ部５との連結部分Ｐに結合されていればよい。
【００３９】
また、上記実施形態では、脇サポート部６及び連結部８を構成する素材としてチュールを例示したが、脇サポート部６及び連結部８を構成する素材は、非（難）伸縮性であればよく、ラッセルレースなどの編レースやエンブレース、マーキゼット、トリコット等の編物、ジョーゼット等の織物などが用いられてもよい。また、上記実施形態では、押さえ部７が脇サポート部６のバック部４側を覆っていたが、押さえ部７は、脇サポート部６の少なくともバック部４側を覆っていればよく、例えば脇サポート部６の全面を覆っていてもよい。上記実施形態では、押さえ部７を構成する素材として、編みレースを例示したが、エンブレース、チュール、マーキゼット、トリコット等の編物、ジョーゼット等の織物などが用いられてもよい。
【００４０】
また、上記実施形態では、前辺部６ａを、カップ部２の下辺部２ｃに対し、下辺部２ｃの最下点よりも前中心Ａ側の位置で交差させると、バストの引き上げ効果と寄せ効果を十分に得られる。バストの引き上げ効果は低下するが、デザイン性を優先し、前辺部６ａを、カップ部２の下辺部２ｃに対し、下辺部２ｃの最下点よりも脇側の位置で交差させてもよい。
【００４１】
また、上記実施形態では、押さえ部７は、脇サポート部６及び土台部３に結合される一方、カップ部２の脇側部分２ｄに対して遊離していたが、押さえ部７の全面が接着により脇サポート部６に結合されてもよい。
【００４２】
また、上記実施形態では、脇サポート部６は、前辺部６ａ側において裏側（カップ部２側）に折り返されており、前辺部６ａから押さえ部７の前辺部７ａにわたる部分が二重になり、裏側に折り返された生地と表側の生地とは、押さえ部７の前辺部７ａの位置で互いに縫着されていたが、脇サポート部６の全面が一重であっても、二重であっても、一重の部分と二重の部分が組み合わされていてもよい。
【００４３】
また、上記実施形態では、脇サポート部６、押さえ部７及び連結部８が非（難）伸縮性を有していたが、脇サポート部６、押さえ部７及び連結部８の少なくとも一つが伸縮性を有していてもよい。脇サポート部６および／または押さえ部７が伸縮性を有する場合、脇サポート部６、押さえ部７の上下方向の伸長回復率は、左右方向の伸長回復率よりも高くてもよい。これにより、脇サポート部６および／または押さえ部７がバストを押さえる力を増加させることができ、バスト脇側での着崩れを確実に抑制できる。また、連結部８が伸縮性を有する場合、連結部８の左右方向の伸長回復率は、上下方向の伸長回復率よりも高くてもよい。これにより、バストの(前中心側への)寄せ効果をより高めることができる。なお、各部材の伸長回復率は、ＪＩＳ  Ｌ１０９６に規定される伸長回復率である。
【符号の説明】
【００４４】
１…カップ部付き衣類、２…カップ部、２ｃ…下辺部、２ｄ…脇側部分、３…土台部、３ｂ…下辺部、３…土台部、３ｂ…下辺部、３ｄ…上辺、４…バック部、５…ストラップ部、６…脇サポート部、８…連結部、９…挿通部、１５…張出部分、１６…テープ部、Ｐ…連結部分。
【図１】
2018178306.tif 000003
【図２】
2018178306.tif 000004
【図３】
2018178306.tif 000005